(57)【要約】【課題】被着体に対する保持位置を容易に変更可能であり、且つ、被着体から容易に取り外すことが可能なラベルを作成するためのラベル媒体、及び、ラベル媒体が収容されたカセットを提供する。【解決手段】第１ラベル媒体６０Ａのラベル５１は、情報が印刷される領域を有する第１表示部５２１及び第２表示部５２２と、被着体に巻き付けられる第１巻付部５３１及び第２巻付部５３２と、第１孔５４１Ａ、第２孔５４２Ａを有する第１貫通部５４１及び第２貫通部５４２とを有する。表示部５２、巻付部５３、貫通部５４は、この順で第１方向に並ぶ。第１表示部５２１及び第２表示部５２２とは、第１ライン５５１を介して互いに連結される。第１貫通部５４１の第１孔５４１Ａと、第２貫通部５４２の第２孔５４２Ａとは、第２ライン５５２を基準として対称となる位置に配置される。【選択図】図５
2019012214.tif 000002
【特許請求の範囲】
【請求項１】
台紙と、前記台紙に貼付されたラベルとを含むラベル媒体であって、
前記ラベルは、
情報が印刷される領域を有する第１表示部及び第２表示部と、
被着体に巻き付けられる第１巻付部及び第２巻付部と、
前記第１表示部及び前記第２表示部が貫通する第１孔及び／又は第１切れ目の少なくとも一部を有する第１貫通部、及び、前記第１表示部及び前記第２表示部が貫通する第２孔及び／又は第２切れ目の少なくとも一部を有する第２貫通部と、
を有し、
前記第１表示部、前記第１巻付部、及び前記第１貫通部は、この順で前記台紙の面と平行の第１方向に並び、
前記第２表示部、前記第２巻付部、及び前記第２貫通部は、この順で前記第１方向あるいは前記第１方向の反対方向である第２方向に並び、
前記第１表示部及び前記第２表示部と、前記第１巻付部及び前記第２巻付部と、前記第１貫通部及び前記第２貫通部との少なくとも何れかは、ラインを介して互いに連結され、
前記第１表示部の少なくとも一部と前記第２表示部の少なくとも一部は、前記ラインに沿って延びる仮想ラインを基準として対称となる位置に配置され、
前記第１巻付部の少なくとも一部と前記第２巻付部の少なくとも一部は、前記仮想ラインを基準として対称となる位置に配置され、
前記第１貫通部の少なくとも一部と前記第２貫通部の少なくとも一部は、前記仮想ラインを基準として対称となる位置に配置され、
前記第１孔及び／又は前記第１切れ目の少なくとも一部と前記第２孔及び／又は前記第２切れ目の少なくとも一部は、前記仮想ラインを基準として対称となる位置に配置されることを特徴とするラベル媒体。
【請求項２】
前記ラインは、前記第１方向と平行であることを特徴とする請求項１に記載のラベル媒体。
【請求項３】
前記第１表示部及び前記第２表示部は、第１ラインを介して連結され、
前記第１貫通部と前記第２貫通部は、前記第１ラインと同一直線状にある第２ラインを介して連結されることを特徴とする請求項２に記載のラベル媒体。
【請求項４】
前記台紙のうち、前記第１ライン及び前記第２ラインと対向する位置に、ミシン目又は切れ目が設けられたことを特徴とする請求項３に記載のラベル媒体。
【請求項５】
前記第１ラインに対向するミシン目又は切れ目と、前記第２ラインに対向するミシン目又は切れ目との間にも、ミシン目又は切れ目があることを特徴とする請求項４に記載のラベル媒体。
【請求項６】
前記第１表示部及び前記第２表示部と、前記第１巻付部及び前記第２巻付部と、前記第１貫通部及び前記第２貫通部とのうち、前記第１表示部及び前記第２表示部のみが、前記ラインを介して連結されることを特徴とする請求項２に記載のラベル媒体。
【請求項７】
前記第１表示部及び前記第２表示部と、前記第１巻付部及び前記第２巻付部と、前記第１貫通部及び前記第２貫通部とのうち、前記第１貫通部及び前記第２貫通部のみが、前記ラインを介して連結されることを特徴とする請求項２に記載のラベル媒体。
【請求項８】
前記第１表示部の少なくとも一部、前記第１巻付部の少なくとも一部、及び前記第１貫通部の少なくとも一部は、前記第１方向に重なり、
前記前記第２表示部の少なくとも一部、前記第２巻付部の少なくとも一部、及び前記第２貫通部の少なくとも一部は、前記第１方向に重なることを特徴とする請求項２から７の何れかに記載のラベル媒体。
【請求項９】
前記ラインは、前記第１方向と直交することを特徴とする請求項１に記載のラベル媒体。
【請求項１０】
前記第１表示部及び前記第２表示部は、前記ラインを介して連結されることを特徴とする請求項９に記載のラベル媒体。
【請求項１１】
前記第１貫通部及び前記第２貫通部は、前記ラインを介して連結されることを特徴とする請求項９に記載のラベル媒体。
【請求項１２】
前記第１表示部の少なくとも一部、前記第２表示部の少なくとも一部、前記第１巻付部の少なくとも一部、前記第２巻付部の少なくとも一部、前記第１貫通部の少なくとも一部、及び前記第２貫通部の少なくとも一部は、前記第１方向に重なることを特徴とする請求項９から１１の何れかに記載のラベル媒体。
【請求項１３】
前記第１表示部の前記第１方向と直交する方向の長さは、前記第１孔及び／又は前記第１切れ目の前記第１方向の長さ以下であり、
前記第２表示部の前記第１方向と直交する方向の長さは、前記第２孔及び／又は前記第２切れ目の前記第１方向の長さ以下である
ことを特徴とする請求項１から１２の何れかに記載のラベル媒体。
【請求項１４】
前記第１孔及び／又は前記第１切れ目の前記第１方向の長さは、前記第１表示部の前記第１方向と直交する方向の長さと等しく、
前記第２孔及び／又は前記第２切れ目の前記第１方向の長さは、前記第２表示部の前記第１方向と直交する方向の長さと等しい
ことを特徴とする請求項１３の何れかに記載のラベル媒体。
【請求項１５】
前記第１巻付部の前記第１方向と直交する方向の長さは、前記第１孔及び／又は前記第１切れ目の前記第１方向と直交する方向の長さ以下であり、
前記第２巻付部の前記第１方向と直交する方向の長さは、前記第２孔及び／又は前記第２切れ目の前記第１方向と直交する方向の長さ以下である
ことを特徴とする請求項１から１４の何れかに記載のラベル媒体。
【請求項１６】
前記第１孔及び／又は前記第１切れ目の前記第１方向と直交する方向の長さは、前記第１巻付部の前記第１方向と直交する方向の長さと等しく、
前記第２孔及び／又は前記第２切れ目の前記第１方向と直交する方向の長さは、前記第２巻付部の前記第１方向と直交する方向の長さと等しい
ことを特徴とする請求項１５に記載のラベル媒体。
【請求項１７】
前記第１巻付部は、前記第１表示部及び前記第１貫通部よりも、前記第１方向と直交する方向の長さが小さく、
前記第２巻付部は、前記第２表示部及び前記第２貫通部よりも、前記第１方向と直交する方向の長さが小さいことを特徴とする請求項１から１６の何れかに記載のラベル媒体。
【請求項１８】
前記第１表示部のうち、前記第１巻付部側と反対側の端部は、前記第１方向と直交する方向の長さが前記第１巻付部側と反対側に向かう程小さくなる第１表示テーパ部を有し、
前記第２表示部のうち、前記第２巻付部側と反対側の端部は、前記第１方向と直交する方向の長さが前記第２巻付部側と反対側に向かう程小さくなる第２表示テーパ部を有し、
前記第１表示テーパ部と前記第２表示テーパ部は、前記仮想ラインを基準として対称となる位置に配置されることを特徴とする請求項１から１７の何れかに記載のラベル媒体。
【請求項１９】
前記第１貫通部のうち前記第１巻付部側の端部は、前記第１表示テーパ部の前記第１方向に対する傾斜角度と同一の傾斜角度を有する第１貫通テーパ部を有し、
前記第２貫通部のうち前記第２巻付部側の端部は、前記第２表示テーパ部の前記第１方向に対する傾斜角度と同一の傾斜角度を有する第２貫通テーパ部を有することを特徴とする請求項１８に記載のラベル媒体。
【請求項２０】
前記台紙と前記ラベルとの間に粘着剤を有することを特徴とする請求項１から１９の何れかに記載のラベル媒体。
【請求項２１】
前記台紙は長尺状であり、
前記台紙の長尺方向に並んで配置された複数の前記ラベルを有し、
前記長尺方向と前記第１方向とが平行であることを特徴とする請求項１から２０の何れかに記載のラベル媒体。
【請求項２２】
前記ラインがミシン目であることを特徴とする請求項１から２１の何れかに記載のラベル媒体。
【請求項２３】
前記台紙と同一形状の基材を有し、
前記基材は、前記ラベルを除く部位に枠状部を更に有し、
前記基材のうち、前記ラベルと前記枠状部との境界部分に切れ目が形成されたことを特徴とする請求項１から２２の何れかに記載のラベル媒体。
【請求項２４】
前記台紙は、
前記ラベルが貼付された第１領域と、前記ラベルが貼付されない第２領域とを含むことを特徴とする請求項１から２２の何れかに記載のラベル媒体。
【請求項２５】
前記第１表示部と前記第２表示部は同一形状かつ同一サイズであり、前記第１巻付部と前記第２巻付部は同一形状かつ同一サイズであり、前記第１貫通部と前記第２貫通部は同一形状かつ同一サイズであることを特徴とする請求項１から２４の何れかに記載のラベル媒体。
【請求項２６】
前記第１巻付部と前記第１孔及び／又は前記第１切れ目の少なくとも一部は前記第１方向に重なり、前記第２巻付部と前記第２孔及び／又は前記第２切れ目の少なくとも一部は前記第１方向に重なることを特徴とする請求項１から２５の何れかに記載のラベル媒体。
【請求項２７】
請求項１から２６の何れかに記載の前記ラベル媒体がスプールに巻回されたロールを含むカセットであって、
前記ラベル媒体のうち前記スプールに接続する側から反対側に向けて、前記ラベルの前記第１表示部、前記第１巻付部、及び前記第１貫通部がこの順に並んで配置され、且つ、前記第２表示部、前記第２巻付部、及び前記第２貫通部がこの順に並んで配置されたことを特徴とするカセット。
【発明の詳細な説明】
【技術分野】
【０００１】
本発明は、ケーブル等の被着体に巻回されることによって保持されるラベルを作成するためのラベル媒体及びカセットに関する。
【背景技術】
【０００２】
特許文献１は、粘着剤層を有する被印字テープに印刷されたラベルを開示する。ラベルは、ラベル本体部及び巻き付け部を有する。ラベル本体部には印字データが印刷される。ラベル本体部は、ミシン目で山折りに折り曲げられることによって、裏面どうしが粘着剤層によって貼り合わされる。巻き付け部は折り返され、ケーブル状の被着体に巻き付けられる。これによって、巻き付け部の裏面は粘着剤層によって被着体に接着し、同時に、巻き付け部の裏面どうしが粘着剤層によって貼り合わされる。
【先行技術文献】
【特許文献】
【０００３】
【特許文献１】特開２０１７−６４９２５号公報
【発明の概要】
【発明が解決しようとする課題】
【０００４】
上記のラベルは、粘着剤層によって被着体に接着される為、被着体に対するラベルの保持位置を変更したり、被着体に対してラベルを取り外したりすることが難しいという問題点がある。
【０００５】
本発明の目的は、被着体に対する保持位置を容易に変更可能であり、且つ、被着体から容易に取り外すことが可能なラベルを作成するためのラベル媒体、及び、ラベル媒体が収容されたカセットを提供することである。
【課題を解決するための手段】
【０００６】
本発明の第１態様に係るラベル媒体は、台紙と、前記台紙に貼付されたラベルとを含むラベル媒体であって、前記ラベルは、情報が印刷される領域を有する第１表示部及び第２表示部と、被着体に巻き付けられる第１巻付部及び第２巻付部と、前記第１表示部及び前記第２表示部が貫通する第１孔及び／又は第１切れ目の少なくとも一部を有する第１貫通部、及び、前記第１表示部及び前記第２表示部が貫通する第２孔及び／又は第２切れ目の少なくとも一部を有する第２貫通部と、を有し、前記第１表示部、前記第１巻付部、及び前記第１貫通部は、この順で前記台紙の面と平行の第１方向に並び、前記第２表示部、前記第２巻付部、及び前記第２貫通部は、この順で前記第１方向あるいは前記第１方向の反対方向である第２方向に並び、前記第１表示部及び前記第２表示部と、前記第１巻付部及び前記第２巻付部と、前記第１貫通部及び前記第２貫通部との少なくとも何れかは、ラインを介して互いに連結され、前記第１表示部の少なくとも一部と前記第２表示部の少なくとも一部は、前記ラインに沿って延びる仮想ラインを基準として対称となる位置に配置され、前記第１巻付部の少なくとも一部と前記第２巻付部の少なくとも一部は、前記仮想ラインを基準として対称となる位置に配置され、前記第１貫通部の少なくとも一部と前記第２貫通部の少なくとも一部は、前記仮想ラインを基準として対称となる位置に配置され、前記第１孔及び／又は前記第１切れ目の少なくとも一部と前記第２孔及び／又は前記第２切れ目の少なくとも一部は、前記仮想ラインを基準として対称となる位置に配置されることを特徴とする。
【０００７】
ラベル媒体において、台紙からラベルを剥がし、ラインに沿ってラベルを折り曲げることによって、第１表示部の少なくとも一部及び第２表示部の少なくとも一部と、第１巻付部の少なくとも一部及び第２巻付部の少なくとも一部と、第１貫通部の少なくとも一部及び第２貫通部の少なくとも一部とをそれぞれ、互いに重ね合わせることができる。この状態で、孔又は切れ目に第１表示部、第２表示部を貫通させることによって、ケーブル等の被着体にラベルの巻付部を巻き付けて保持できる。この場合、被着体にラベルは接着されないので、被着体に対してラベルを移動させたり、被着体からラベルを取り外したりすることが容易に可能となる。
【０００８】
第１態様において、前記ラインは、前記第１方向と平行であってもよい。この場合、使用者は、ラインに沿ってラベルを折り曲げる場合において、第１表示部の少なくとも一部及び第２表示部の少なくとも一部と、第１巻付部の少なくとも一部及び第２巻付部の少なくとも一部と、第１貫通部の少なくとも一部及び第２貫通部の少なくとも一部とがずれないように重ね合わせることが容易に可能となる。
【０００９】
第１態様において、前記第１表示部及び前記第２表示部は、第１ラインを介して連結され、前記第１貫通部と前記第２貫通部は、前記第１ラインと同一直線状にある第２ラインを介して連結されてもよい。この場合、使用者は、第１ラインと第２ラインとの２箇所で折り曲げられるので、第１表示部及び第２表示部と、第１貫通部及び第２貫通部とがずれることを抑制できる。又、第１ラインと第２ラインとは同一直線状に配置されるので、第１ライン及び第２ラインに沿ってラベルを容易に折り曲げることができる。
【００１０】
第１態様において、前記台紙のうち、前記第１ライン及び前記第２ラインと対向する位置に、ミシン目又は切れ目が設けられてもよい。この場合、使用者は、ラベルから台紙を剥がす前に、ミシン目又は切れ目に沿ってラベル媒体を折り曲げ、第１ライン及び第２ラインに曲げ癖をつけることができる。従って、使用者は、ラベルから台紙を剥がした後、曲げ癖に沿ってラベルを折り曲げることによって、第１表示部及び第２表示部と、第１貫通部及び第２貫通部とがずれることを抑制できる。
【００１１】
第１態様において、前記第１ラインに対向するミシン目又は切れ目と、前記第２ラインに対向するミシン目又は切れ目との間にも、ミシン目又は切れ目があってもよい。この場合、使用者は、ラベルから台紙を剥がす前に、ミシン目又は切れ目に沿ってラベル媒体を容易に折り曲げることができる。
【００１２】
第１態様において、前記第１表示部及び前記第２表示部と、前記第１巻付部及び前記第２巻付部と、前記第１貫通部及び前記第２貫通部とのうち、前記第１表示部及び前記第２表示部のみが、前記ラインを介して連結されてもよい。この場合、ラベル媒体は、表示部と貫通部とのそれぞれの第１方向と直交する方向の長さ（幅）を異なる長さとすることが容易に可能となる。
【００１３】
第１態様において、前記第１表示部及び前記第２表示部と、前記第１巻付部及び前記第２巻付部と、前記第１貫通部及び前記第２貫通部とのうち、前記第１貫通部及び前記第２貫通部のみが、前記ラインを介して連結されてもよい。この場合、ラベル媒体は、表示部と貫通部とのそれぞれの第１方向と直交する方向の長さ（幅）を異なる長さとすることが容易に可能となる。
【００１４】
第１態様において、前記第１表示部の少なくとも一部、前記第１巻付部の少なくとも一部、及び前記第１貫通部の少なくとも一部は、前記第１方向に重なり、前記前記第２表示部の少なくとも一部、前記第２巻付部の少なくとも一部、及び前記第２貫通部の少なくとも一部は、前記第１方向に重なってもよい。この場合、ラベル媒体は、第１方向と直交する方向の長さ（幅）を抑制できるので、ラベル媒体の幅を抑制できる。
【００１５】
第１態様において、前記ラインは、前記第１方向と直交してもよい。この場合、ラベル媒体は、第１方向と直交する方向にラベルを折り曲げることによって、被着体に保持可能な状態とすることができる。
【００１６】
第１態様において、前記第１表示部及び前記第２表示部は、前記ラインを介して連結されてもよい。この場合、使用者は、ラインに沿ってラベルを折り曲げる場合において、ラインに近接する第１表示部及び第２表示部がずれることを抑制できる。
【００１７】
第１態様において、前記第１貫通部及び前記第２貫通部は、前記ラインを介して連結されてもよい。この場合、使用者は、ラインに沿ってラベルを折り曲げる場合において、ラインに近接する第１貫通部及び第２貫通部がずれることを抑制できる。
【００１８】
第１態様において、前記第１表示部の少なくとも一部、前記第２表示部の少なくとも一部、前記第１巻付部の少なくとも一部、前記第２巻付部の少なくとも一部、前記第１貫通部の少なくとも一部、及び前記第２貫通部の少なくとも一部は、前記第１方向に重なってもよい。この場合、ラベルの第１方向と直交する方向の長さ（幅）を抑制できるので、ラベル媒体の幅を抑制できる。
【００１９】
第１態様において、前記第１表示部の前記第１方向と直交する方向の長さは、前記第１孔及び／又は前記第１切れ目の前記第１方向の長さ以下であり、前記第２表示部の前記第１方向と直交する方向の長さは、前記第２孔及び／又は前記第２切れ目の前記第１方向の長さ以下であってもよい。この場合、使用者は、第１貫通部に第１表示部を容易に貫通させることができ、且つ、第２貫通部に第２表示部を容易に貫通させることができる。
【００２０】
第１態様において、前記第１孔及び／又は前記第１切れ目の前記第１方向の長さは、前記第１表示部の前記第１方向と直交する方向の長さと等しく、前記第２孔及び／又は前記第２切れ目の前記第１方向の長さは、前記第２表示部の前記第１方向と直交する方向の長さと等しくてもよい。この場合、孔又は切れ目の大きさを抑制できるので、第１貫通部及び第２貫通部の強度を維持できる。
【００２１】
第１態様において、前記第１巻付部の前記第１方向と直交する方向の長さは、前記第１孔及び／又は前記第１切れ目の前記第１方向と直交する方向の長さ以下であり、前記第２巻付部の前記第１方向と直交する方向の長さは、前記第２孔及び／又は前記第２切れ目の前記第１方向と直交する方向の長さ以下であってもよい。この場合、ラベルは、第１貫通部に第１巻付部が貫通した状態で、第１巻付部が折れ曲がることを抑制できる。又、ラベルは、第２貫通部に第２巻付部が貫通した状態で、第２巻付部が折れ曲がることを抑制できる。
【００２２】
第１態様において、前記第１孔及び／又は前記第１切れ目の前記第１方向と直交する方向の長さは、前記第１巻付部の前記第１方向と直交する方向の長さと等しく、前記第２孔及び／又は前記第２切れ目の前記第１方向と直交する方向の長さは、前記第２巻付部の前記第１方向と直交する方向の長さと等しくてもよい。この場合、孔又は切れ目の大きさを抑制できるので、第１貫通部及び第２貫通部の強度を維持できる。
【００２３】
第１態様において、前記第１巻付部は、前記第１表示部及び前記第１貫通部よりも、前記第１方向と直交する方向の長さが小さく、前記第２巻付部は、前記第２表示部及び前記第２貫通部よりも、前記第１方向と直交する方向の長さが小さくてもよい。この場合、第１表示部及び第２表示部の第１方向と直交する方向の長さを相対的に大きくできるので、印刷可能な領域の面積を大きくできる。又、第１巻付部及び第２巻付部に対する第１貫通部及び第２貫通部の第１方向と直交する方向の長さを相対的に大きくできるので、孔又は切れ目の少なくとも一方が形成された場合でも、第１貫通部及び第２貫通部の強度を維持できる。
【００２４】
第１態様において、前記第１表示部のうち、前記第１巻付部側と反対側の端部は、前記第１方向と直交する方向の長さが前記第１巻付部側と反対側に向かう程小さくなる第１表示テーパ部を有し、前記第２表示部のうち、前記第２巻付部側と反対側の端部は、前記第１方向と直交する方向の長さが前記第２巻付部側と反対側に向かう程小さくなる第２表示テーパ部を有し、前記第１表示テーパ部と前記第２表示テーパ部は、前記仮想ラインを基準として対称となる位置に配置されてもよい。この場合、使用者が第１貫通部に第１表示部を挿通させるときに、第１表示部の先端が第１孔又は第１切れ目の少なくとも一方に引っ掛かることを抑制できる。又、使用者が第２貫通部に第２表示部を挿通させるときに、第２表示部の先端が第２孔又は第２切れ目の少なくとも一方に引っ掛かることを抑制できる。
【００２５】
第１態様において、前記第１貫通部のうち前記第１巻付部側の端部は、前記第１表示テーパ部の前記第１方向に対する傾斜角度と同一の傾斜角度を有する第１貫通テーパ部を有し、前記第２貫通部のうち前記第２巻付部側の端部は、前記第２表示テーパ部の前記第１方向に対する傾斜角度と同一の傾斜角度を有する第２貫通テーパ部を有してもよい。使用者がラベルの第１表示部及び第２表示部を、他のラベルの第１貫通部及び第２貫通部に貼り付けて使用する場合がある。この場合、それぞれのテーパ部の位置を揃えて貼り付けることによって、２つのラベルを第１方向に並べて貼付できる。
【００２６】
第１態様において、前記台紙と前記ラベルとの間に粘着剤を有してもよい。この場合、使用者は、ラインにおいてラベルを折り曲げることによって、第１表示部及び第２表示部と、第１巻付部及び第２巻付部と、第１貫通部及び第２貫通部とを粘着剤によって貼り合わせることができる。
【００２７】
第１態様において、前記台紙は長尺状であり、前記台紙の長尺方向に並んで配置された複数の前記ラベルを有し、前記長尺方向と前記第１方向とが平行であってもよい。この場合、複数のラベルを台紙に効率的に並べて配置させることができる。
【００２８】
第１態様において、前記ラインがミシン目であってもよい。この場合、使用者は、ラベルをラインで容易に折り曲げることができる。
【００２９】
第１態様において、前記台紙と同一形状の基材を有し、前記基材は、前記ラベルを除く部位に枠状部を更に有し、前記基材のうち、前記ラベルと前記枠状部との境界部分に切れ目が形成されてもよい。この場合、ラベル媒体は、ラベルに切れ目を形成することによって、第１表示部、第２表示部、第１巻付部、第２巻付部、第１貫通部、及び第２貫通部を形成させることができる。
【００３０】
第１態様において、前記台紙は、前記ラベルが貼付された第１領域と、前記ラベルが貼付されない第２領域とを含んでいてもよい。この場合、台紙からラベルを剥がし易くできる。
【００３１】
第１態様において、前記第１表示部と前記第２表示部は同一形状かつ同一サイズであり、前記第１巻付部と前記第２巻付部は同一形状かつ同一サイズであり、前記第１貫通部と前記第２貫通部は同一形状かつ同一サイズであってもよい。この場合、ラインに沿ってラベルを折り曲げたときに、第１表示部と第２表示部、第１巻付部と第２巻付部、及び、第１貫通部と第２貫通部をずれなく重ね合わせることができる。
【００３２】
第１態様において、前前記第１巻付部と前記第１孔及び／又は前記第１切れ目の少なくとも一部は前記第１方向に重なり、前記第２巻付部と前記第２孔及び／又は前記第２切れ目の少なくとも一部は前記第１方向に重なってもよい。この場合、ラベルは、第１孔又は第１切れ目に第１巻付部を容易に通すことができる。ラベルは、第２孔又は第２切れ目に第２巻付部を容易に通すことができる。
【００３３】
本発明の第２態様に係るカセットは、第１態様に係る前記ラベル媒体がスプールに巻回されたロールを含むカセットであって、前記ラベル媒体のうち前記スプールに接続する側から反対側に向けて、前記ラベルの前記第１表示部、前記第１巻付部、及び前記第１貫通部がこの順に並んで配置され、且つ、前記第２表示部、前記第２巻付部、及び前記第２貫通部がこの順に並んで配置されたことを特徴とする。
【００３４】
第２態様において、カセットが印刷装置に装着されて使用された場合、ラベルの貫通部及び巻付け部がヘッドの近傍を通過した後、ラベルの表示部がヘッドの近傍を通過する。なお、印刷装置は、ヘッドの近傍を表示部が通過するときに、表示部にキャラクタを印刷する。この場合、印刷装置において、ラベル媒体の搬送直後に印刷を実行できない場合でも、表示部に対する印刷を適切に実行できる。
【図面の簡単な説明】
【００３５】
【図１】印字装置１の右後下方からの斜視図である。
【図２】カバー５を開けた状態の印字装置１の斜視図である。
【図３】保護部３６の一部を切り欠いた平面図である。
【図４】テープカセット６の上ケース６７１を取り外した場合の平面図である。
【図５】第１ラベル媒体６０Ａを示す図である。
【図６】被着体Ｋに対するラベル５１の取り付け方法を示す図である。
【図７】ラベル５１Ａ、５１Ｂを連結して使用する使用態様を説明する為の図である。
【図８】第２ラベル媒体６０Ｂを示す図である。
【図９】第３ラベル媒体６０Ｃを示す図である。
【図１０】第４ラベル媒体６０Ｄを示す図である。
【図１１】第５ラベル媒体６０Ｅを示す図である。
【図１２】第６ラベル媒体６０Ｆを示す図である。
【発明を実施するための形態】
【００３６】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。
【００３７】
＜印字装置１の概略構成＞
本実施形態に係る印字装置１の概略構成について、図１から図３を参照して説明する。以下の説明では、図１の上方、下方、右下方、左上方、右上方、左下方を、それぞれ、印字装置１の前方、後方、右方、左方、上方、および下方と定義する。
【００３８】
図１に示すように、印字装置１の形状は、略直方体状である。印字装置１は、本体筐体２とカバー５とを有する。本体筐体２およびカバー５は樹脂製である。本体筐体２の上面の下側部分には、キーボード１１が設けられる。キーボード１１は種々の文字入力等を行う。キーボード１１の上方には、機能キー群１２が設けられる。機能キー群１２は、電源の入切、印字キーや印字装置１の各種制御を行う。機能キー群１２の上方には、液晶ディスプレイ１３が設けられる。液晶ディスプレイ１３は、入力した文字や記号等を表示する。カバー５は、本体筐体２の後側に開閉自在に取り付けられる。
【００３９】
図２、図３に示すように、本体筐体２の右下側角部には、３本の電池を着脱可能な電池装着部２１が設けられる。電池装着部２１の上側に隣接して、カセット装着部２２が設けられる。カセット装着部２２は、テープカセット６を後方から着脱可能である。カセット装着部２２の下端部から後方に向けてフック２５１が突出し、カセット装着部２２の上端部から後方に向けてフック２５２が突出する。フック２５１、２５２は、カセット装着部２２に装着されたテープカセット６に係合可能である。
【００４０】
本体筐体２の上側には、ラベル排出口２６が設けられる。ラベル排出口２６の右側の角部には、切断用ノブ１４が設けられる。切断用ノブ１４は、内側へ押圧操作されることによって、ラベル排出口２６の内側に設けられた可動刃１４１を固定刃１４２側へ移動させて、印刷済みのラベル媒体６０（図４参照）を切断する。固定刃１４２と可動刃１４１とによって切断された印刷済みのラベル媒体６０は、ラベル排出口２６から排出される。
【００４１】
図３に示すように、カセット装着部２２には、サーマルヘッド２９、プラテンローラ３０、テープサブローラ３１、テープ駆動ローラ軸３２およびリボン巻取軸３３等が配置される。プラテンローラ３０は、サーマルヘッド２９の右方に設けられる。テープサブローラ３１は、プラテンローラ３０の上側近傍に設けられる。テープ駆動ローラ軸３２は、テープサブローラ３１の左側に設けられる。リボン巻取軸３３は、カセット装着部２２の略中央に設けられる。
【００４２】
サーマルヘッド２９は、ヘッドホルダ２９１の右方を向く面に配設される。ヘッドホルダ２９１は、テープカセット６のヘッド挿入部６２におけるラベル媒体６０の搬送方向に略直交するように、カセット装着部２２に設けられる。
【００４３】
リボン巻取軸３３は、テープカセット６に設けられたリボン巻取スプール６３１に嵌入されて回転駆動する。テープ駆動ローラ軸３２は、テープカセット６に設けられたテープ送りローラ６３２に嵌入されて回転駆動する。リボン巻取軸３３とテープ駆動ローラ軸３２とは、ラベル媒体６０とインクリボン６１３（図４参照）とが同じ搬送速度で搬送されるように回転駆動される。
【００４４】
図２に示すように、本体筐体２の上下方向略中央より上側の右端部には、保護部３６が設けられる。保護部３６は、左方へ開口する。保護部３６には、貫通孔であるカム案内孔３６１およびカム案内孔３６２が形成される。保護部３６の前方には、図３に示すプラテンホルダ３８が、回動軸３７を中心に回動可能に軸支される。プラテンローラ３０とテープサブローラ３１とが、プラテンホルダ３８によって、平面視反時計回りに回転可能に軸支される。非図示のバネは、プラテンホルダ３８が回動軸３７を中心に右方へ回動するように付勢する。
【００４５】
＜テープカセット６の概略構成＞
テープカセット６の概略構成について説明する。なお、以下の説明では、図４の下方、上方、右方、左方、紙面前方、および紙面後方を、それぞれ、テープカセット６の前方、後方、右方、左方、上方、および下方とする。
【００４６】
図２に示すように、テープカセット６の形状は、平面視略長方形の箱型状である。テープカセット６は、上ケース６７１及び下ケース６７２を有する。図４に示すように、テープカセット６には、支持孔７１１、支持孔７１２、および支持孔７１３が形成される。支持孔７１１は、テープスプール７２を回動可能に支持する。ラベル媒体６０は、テープスプール７２に巻回される。テープスプール７２は、ラベル媒体６０が巻回されたロール６００を保持する。支持孔７１２は、リボン巻取スプール６３１を支持する。リボン巻取スプール６３１は、リボンスプール７４からインクリボン６１３を巻き取る。テープスプール７２およびリボンスプール７４は、それぞれ、下ケース６７２の下面に立設されたカセットボス７５１およびリールボス７５２に回転可能に嵌挿される。支持孔７１３は、テープ送りローラ６３２を回転可能に支持する。テープ送りローラ６３２とテープサブローラ３１（図３参照）とにより、テープスプール７２のロール６００からラベル媒体６０を引き出す。
【００４７】
テープカセット６の前面部には、アーム状に突出するアーム部６５が設けられる。ヘッド挿入部６２は、アーム部６５とアーム部６５に対向する側壁部７８１とによって、平面視略Ｕ字状に形成される。ヘッド挿入部６２には、ヘッドホルダ２９１（図３参照）が挿入される。
【００４８】
テープ送りローラ６３２の前側近傍には、上下一対の案内部材６９が設けられる。案内部材６９の後側近傍には、リボン分離部７６が設けられる。アーム部６５の前面壁部７０と、ヘッド挿入部６２側の背面壁部７８３との間の中央部には、薄板状の分離壁７８２が設けられる。分離壁７８２の左側近傍には、アーム開口部７９が形成される。
【００４９】
＜印刷手順の概要＞
図２、図３、図４に示すように、テープカセット６のリボン巻取スプール６３１およびテープ送りローラ６３２に、それぞれ、リボン巻取軸３３およびテープ駆動ローラ軸３２が嵌入されつつ、ヘッド挿入部６２にヘッドホルダ２９１が挿入される。カセット装着部２２の底面部に立設された位置決ボス４１が、カセットボス７５１に嵌入される。これにより、テープカセット６は、位置決めされた状態で押し込まれ、カセット装着部２２に装着される。テープカセット６がカセット装着部２２に装着された後、カバー５が閉じられる。カバー５が閉じた場合、カバー５に設けられたローラホルダカム（非図示）が、カム案内孔３６１に嵌入される。ローラホルダカムは、プラテンホルダ３８を左方へ押圧する。プラテンホルダ３８は、非図示のバネの付勢力に抗して左方へ回動される。
【００５０】
ラベル媒体６０は、テープスプール７２からガイドピン７３２を経てアーム部６５の前面壁部７０と分離壁７８２との間を搬送される。インクリボン６１３は、リボンスプール７４からガイドピン７３３を経てアーム部６５の背面壁部７８３と分離壁７８２との間を搬送される。次いで、インクリボン６１３とラベル媒体６０とは、重ね合わされてアーム開口部７９からヘッド挿入部６２へ搬送される。次いで、ラベル媒体６０とインクリボン６１３とは、プラテンローラ３０によってサーマルヘッド２９に押圧される。サーマルヘッド２９の発熱により、インクリボン６１３は上側から加熱される。これにより、ラベル媒体６０にインクが熱転写され、文字等の情報が印刷される。
【００５１】
次いで、インクリボン６１３は、リボン分離部７６によってラベル媒体６０から分離される。分離されたインクリボン６１３は、ガイドピン７３１を経てリボン巻取スプール６３１に巻き取られる。リボン分離部７６によってインクリボン６１３が分離された印刷済みのラベル媒体６０は、案内部材６９によって上下方向に規制されてテープ送りローラ６３２へ搬送される。次いで、印刷済みの第１ラベル媒体６０Ａは、テープ駆動ローラ軸３２によって回転駆動されるテープ送りローラ６３２に対し、テープサブローラ３１によって押圧される。印刷済みのラベル媒体６０は、テープ送りローラ６３２の回転によりラベル排出口２６から排出される。
【００５２】
＜第１実施例：第１ラベル媒体６０Ａ＞
図５を参照し、ラベル媒体６０の第１実施例である第１ラベル媒体６０Ａについて説明する。第１ラベル媒体６０Ａは、それぞれが長尺状の基材５１１（図５（Ａ）参照）及び台紙５１２（図５（Ｂ）参照）を有する。基材５１１及び台紙５１２は同一形状を有する。基材５１１は、ラベル５１Ａ、５１Ｂ、５１Ｃ・・・（総称して「ラベル５１」という。）、及び、枠状部５０を有する。ラベル５１Ａ、５１Ｂ、５１Ｃ・・・は、第１ラベル媒体６０Ａの長尺方向に並んで配置される。ラベル５１には、インクリボン６１３のインクが転写される。台紙５１２は、ラベル５１の使用時に剥離される剥離紙である。基材５１１（ラベル５１及び枠状部５０）と台紙５１２とは積層される。基材５１１と台紙５１２とのそれぞれの対向面に、粘着剤が塗布される。粘着剤は、基材５１１と台紙５１２との間に配置される。ラベル５１及び枠状部５０は、粘着剤によって台紙５１２に貼付される。図５の左右方向は、第１ラベル媒体６０Ａの基材５１１及び台紙５１２のそれぞれの面と平行に延び、第１ラベル媒体６０Ａの長尺方向に対応する。第１ラベル媒体６０Ａのうち図５の右側の端部は、テープスプール７２に接続する。第１ラベル媒体６０Ａは、図５の左側の端部側から順にサーマルヘッド２９の近傍を通過して印刷が実行され、ラベル排出口２６を介して排出される。
【００５３】
以下、第１ラベル媒体６０Ａの長尺方向のうちテープスプール７２に接続する側と反対側に向かう方向（図５における左方向）を、「第１方向」という。第１ラベル媒体６０Ａの長尺方向のうちテープスプール７２に接続する側に向かう方向（図５における右方向）を、「第２方向」という。第１方向及び第２方向は、長尺方向と平行である。長尺方向と直交する方向を「直交方向」という。直交方向のうち一方側に向かう方向（図５における上方向）を、「第３方向」という。直交方向のうち他方側に向かう方向（図５における下方向）を、「第４方向」という。第３方向及び第４方向は、直交方向と平行である。
【００５４】
図５（Ａ）に示すように、ラベル５１は、第１表示部５２１、第２表示部５２２、第１巻付部５３１、第２巻付部５３２、第１貫通部５４１、第２貫通部５４２を有する。第１表示部５２１及び第２表示部５２２は同一形状且つ同一サイズを有する。第１巻付部５３１及び第２巻付部５３２は同一形状且つ同一サイズを有する。第１貫通部５４１、第２貫通部５４２は同一形状且つ同一サイズを有する。第１表示部５２１、第２表示部５２２を総称して「表示部５２」という。第１巻付部５３１、第２巻付部５３２を総称して「巻付部５３」という。第１貫通部５４１、第２貫通部５４２を総称して「貫通部５４」という。
【００５５】
表示部５２は略長方形である。表示部５２の長手方向は長尺方向に延びる。第１表示部５２１及び第２表示部５２２は、直交方向に並ぶ。第１表示部５２１は、第２表示部５２２に対して第３方向側に配置される。第１表示部５２１の第４方向側の端部と、第２表示部５２２の第３方向側の端部とは、第１ライン５５１を介して互いに連結される。第１ライン５５１は、長尺方向（第１方向及び第２方向）と平行に延びる。第１ライン５５１は、基材５１１に形成されたミシン目である。第１ライン５５１を通って長尺方向に延びる仮想的なラインを、「仮想ライン５５０」という。第１表示部５２１及び第２表示部５２２は、仮想ライン５５０を基準として線対称となる位置に配置される。表示部５２の直交方向（第３方向及び第４方向）の長さを、「Ａ１」と表記する。
【００５６】
表示部５２はインクリボン６１３のインクが転写されることによって情報が印刷される領域５２Ａを有する。第１表示部５２１が有する領域５２Ａを、「領域５２１Ａ」といい、第２表示部５２２が有する領域５２Ａを、「領域５２２Ａ」という。
【００５７】
表示部５２の第２方向側の端部のうち直交方向の両端部近傍は、直交方向に対して傾斜した表示テーパ部５２Ｂを有する。表示テーパ部５２Ｂにより、表示部５２の第２方向側の端部の直交方向の長さは、第２方向に向かう程小さくなる。第１表示部５２１が有する表示テーパ部５２Ｂを、「第１表示テーパ部５２１Ｂ」といい、第２表示部５２２が有する表示テーパ部５２Ｂを、「第２表示テーパ部５２２Ｂ」という。第１表示テーパ部５２１Ｂと第２表示テーパ部５２２Ｂとは、仮想ライン５５０を基準として線対称となる位置に配置される。第２方向に対する表示テーパ部５２Ｂの傾斜角度を、「θ１」と表記する。
【００５８】
巻付部５３は略長方形である。巻付部５３の長手方向は長尺方向に延びる。巻付部５３の直交方向の長さは、表示部５２の直交方向の長さＡ１よりも短い。巻付部５３は、表示部５２の第１方向側の端部のうち直交方向の中央から、第１方向に向けて延びる。第１巻付部５３１及び第２巻付部５３２は、間隔を空けて直交方向に並ぶ。第１巻付部５３１は、第２巻付部５３２に対して第３方向側に配置される。第１巻付部５３１及び第２巻付部５３２は、仮想ライン５５０を基準として線対称となる位置に配置される。ラベル５１は、巻付部５３が被着体に巻付けられることによって被着体に保持される。巻付部５３の直交方向の長さを、「Ｂ１」と表記する。
【００５９】
貫通部５４は略長方形である。貫通部５４の長手方向は長尺方向に延びる。貫通部５４の直交方向の長さは、表示部５２の直交方向の長さＡ１と同一であり、巻付部５３の直交方向の長さＢ１よりも長い。貫通部５４は、巻付部５３の第１方向側の端部から第１方向に向けて延びる。第１貫通部５４１及び第２貫通部５４２は、直交方向に並ぶ。第１貫通部５４１は、第２貫通部５４２に対して第３方向側に配置される。第１貫通部５４１の第４方向側の端部と、第２貫通部５４２の第３方向側の端部とは、第２ライン５５２を介して互いに連結される。第２ライン５５２は、仮想ライン５５０に沿って長尺方向と平行に延びる。第１ライン５５１と第２ライン５５２は、仮想ライン５５０に沿って同一直線状に配置される。第２ライン５５２は、基材５１１に形成されたミシン目である。第１貫通部５４１及び第２貫通部５４２は、仮想ライン５５０を基準として線対称となる位置に配置される。
【００６０】
第１貫通部５４１は第１孔５４１Ａを有し、第２貫通部５４２は第２孔５４２Ａを有する。第１孔５４１Ａ、第２孔５４２Ａは略長方形であり、互いに同一形状且つ同一サイズを有する。第１孔５４１Ａは、第１巻付部５３１に対して第１方向側に配置される。このため、第１孔５４１Ａと第１巻付部５３１とは第１方向に重なる。第２孔５４２Ａは、第２巻付部５３２に対して第１方向側に配置される。このため、第２孔５４２Ａと第２巻付部５３２とは第１方向に重なる。第１孔５４１Ａ、第２孔５４２Ａは、仮想ライン５５０を基準として線対称となる位置に配置される。
【００６１】
第１孔５４１Ａ、第２孔５４２Ａを総称して、「孔５４Ａ」という。ラベル５１は、表示部５２及び巻付部５３が貫通部５４の孔５４Ａに貫通することによって、被着体に取り付けられる。孔５４Ａの長尺方向の長さを、「Ｃ１」と表記する。孔５４Ａの直交方向の長さを、「Ｄ１」と表記する。孔５４Ａの長尺方向の長さＣ１は、表示部５２の直交方向の長さＡ１と同一である。孔５４Ａの直交方向の長さＤ１は、巻付部５３の直交方向の長さＢ１と同一である。
【００６２】
貫通部５４の第２方向側の端部のうち、巻付部５３との連結部分に対して第３方向及び第４方向の部分は、直交方向に対して傾斜した貫通テーパ部５４Ｂを有する。貫通テーパ部５４Ｂにより、貫通部５４の第２方向側の端部の直交方向の長さは、第２方向に向かう程小さくなる。第１貫通部５４１が有する貫通テーパ部５４Ｂを、「第１貫通テーパ部５４１Ｂ」といい、第２貫通部５４２が有する貫通テーパ部５４Ｂを、「第２貫通テーパ部５４２Ｂ」という。第１貫通テーパ部５４１Ｂと第２貫通テーパ部５４２Ｂとは、仮想ライン５５０を基準として線対称となる位置に配置される。第２方向に対する貫通テーパ部５４Ｂの傾斜角度は、第２方向に対する表示テーパ部５２Ｂの傾斜角度と等しく、θ１である。
【００６３】
第１表示部５２１、第１巻付部５３１、第１貫通部５４１は、この順番で第１方向に並ぶ。つまり、第１表示部５２１、第１巻付部５３１、第１貫通部５４１は、この順番で、テープスプール７２に接続する側と反対側に向けて順番に並ぶ。第１表示部５２１、第１巻付部５３１、第１貫通部５４１のそれぞれの直交方向の中央を含む一部は、第１方向に重なる。第２表示部５２２、第２巻付部５３２、第２貫通部５４２は、この順番で第１方向に並ぶ。つまり、第２表示部５２２、第２巻付部５３２、第２貫通部５４２は、この順番で、テープスプール７２に接続する側と反対側に向けて順番に並ぶ。第２表示部５２２、第２巻付部５３２、第２貫通部５４２のそれぞれの直交方向の中央を含む一部は、第１方向に重なる。
【００６４】
枠状部５０は、基材５１１のうちラベル５１を除く部位である。基材５１１のうちラベル５１と枠状部５０との境界部分には、切れ目が形成される。使用者は、基材５１１を切れ目によって切り離すことによって、台紙５１２からラベル５１のみを剥がすことができる。この時、枠状部５０が台紙５１２に貼付された状態は維持される。
【００６５】
図５（Ｂ）に示すように、台紙５１２には、長尺方向に一直線状に延びるミシン目５１Ｚが設けられる。ミシン目５１Ｚは、台紙５１２のうち、ラベル５１Ａ、５１Ｂ、５１Ｃのそれぞれの第１ライン５５１及び第２ライン５５２と対向する位置を通過する。つまり、ミシン目５１Ｚは、台紙５１２のうち仮想ライン５５０と対向する位置に配置される。ミシン目５１Ｚは、台紙５１２のうち第１ライン５５１と対向する位置に設けられたミシン目５１１Ｚ、第２ライン５５２と対向する位置に設けられたミシン目５１２Ｚ、隣接するミシン目５１１Ｚ、５１２Ｚの間に設けられたミシン目５１３Ｚを有する。
【００６６】
図５、図６を参照し、ケーブル状の被着体Ｋに対するラベル５１の取り付け方法について説明する。印字装置１は、図５に示すラベル５１の表示部５２の領域５２Ａに対して情報を印刷する。図５、図６では、印刷された情報は省略されている。使用者は、台紙５１２のミシン目５１Ｚに沿って第１ラベル媒体６０Ａを折り曲げ、元に戻す。これによって、基材５１１の第１ライン５５１及び第２ライン５５２に曲げ癖がつく。
【００６７】
図６（Ａ）に示すように、第１ラベル媒体６０Ａの台紙５１２からラベル５１が剥がされる。図６（Ｂ）に示すように、使用者は、ラベル５１を第１ライン５５１及び第２ライン５５２で折り曲げ、ラベル５１のうち粘着剤が塗布された面同士を貼り合わせる。ここで、第１表示部５２１及び第２表示部５２２、第１巻付部５３１及び第２巻付部５３２、第１貫通部５４１及び第２貫通部５４２は、第１ライン５５１及び第２ライン５５２を通過する仮想ライン５５０（図５参照）を基準として線対称の形状を有する。従って、第１表示部５２１及び第２表示部５２２、第１巻付部５３１及び第２巻付部５３２、第１貫通部５４１及び第２貫通部５４２は、それぞれ、第１ライン５５１及び第２ライン５５２によって折り曲げられたときにずれなく貼付される。このため、ラベル５１の粘着剤が塗布された面は露出しない。更に、第１孔５４１Ａ、第２孔５４２Ａは、仮想ライン５５０を基準として線対称となる位置に配置される。従って、第１孔５４１Ａ、第２孔５４２Ａはずれなく貼付される。
【００６８】
次に使用者は、巻付部５３を被着体Ｋに重ねる。図６（Ｃ）に示すように、使用者は巻付部５３を折り曲げ、表示部５２及び巻付部５３を貫通部５４の孔５４Ａに通す。これにより、巻付部５３は被着体Ｋに巻き付く。次に使用者は、図６（Ｄ）に示すように、表示部５２及び巻付部５３を引っ張る。被着体Ｋに対して巻付部５３が締め付けられる。これにより、被着体Ｋに対するラベル５１の取り付けは完了する。ラベル５１は、被着体Ｋに巻付部５３が巻き付いた状態で、被着体Ｋに保持される。
【００６９】
なお、使用者は、被着体Ｋに対する巻付部５３の締め付けを緩めることによって、被着体Ｋに対するラベル５１の保持位置を変更できる。又、表示部５２及び巻付部５３を貫通部５４の孔５４Ａから抜くことによって、被着体Ｋからラベル５１を取り外すことができる。
【００７０】
＜第１実施例の作用、効果＞
第１ラベル媒体６０Ａにおいて、ラベル５１の第１表示部５２１及び第２表示部５２２、第１巻付部５３１及び第２巻付部５３２、第１貫通部５４１及び第２貫通部５４２、第１孔５４１Ａ及び第２孔５４２Ａは、それぞれ、第１ライン５５１及び第２ライン５５２を通過する仮想ライン５５０に対して線対称の形状を有する。このため、ラベル５１が台紙５１２から剥がされ、第１ライン５５１及び第２ライン５５２に沿ってラベル５１が折り曲げられた場合、第１表示部５２１及び第２表示部５２２、第１巻付部５３１及び第２巻付部５３２、第１貫通部５４１及び第２貫通部５４２、第１孔５４１Ａ及び第２孔５４２Ａは、それぞれ互いに重ね合わせられる。この状態で、使用者は、貫通部５４の孔５４Ａに表示部５２を貫通させ、ケーブル状の被着体Ｋに巻付部５３を巻付ける。これにより、ラベル５１は被着体Ｋに保持される。この場合、ラベル５１は、被着体Ｋに対して粘着剤により接着されないので、被着体Ｋに対してラベル５１を移動させたり、被着体Ｋからラベル５１を取り外したりすることが容易に可能となる。
【００７１】
第１ラベル媒体６０Ａにおいて、直交方向に並ぶ第１表示部５２１及び第２表示部５２２の境界部分に第１ライン５５１が設けられ、直交方向に並ぶ第１貫通部５４１及び第２貫通部５４２の境界部分に第２ライン５５２が設けられる。第１表示部５２１、第１巻付部５３１、第１貫通部５４１は、この順で第１方向に並び、第２表示部５２２、第２巻付部５３２、第２貫通部５４２は、この順で第１方向に並ぶ。第１ライン５５１及び第２ライン５５２は、表示部５２、巻付部５３、貫通部５４が並ぶ第１方向と平行に延びる。この場合、第１表示部５２１及び第２表示部５２２は第１ライン５５１に近接し、第１巻付部５３１及び第２巻付部５３２は仮想ライン５５０に近接し、第１貫通部５４１及び第２貫通部５４２は第２ライン５５２に近接する。このため使用者は、第１ライン５５１及び第２ライン５５２に沿ってラベル５１を折り曲げる場合において、表示部５２、巻付部５３、貫通部５４がそれぞれ互いにずれないように重ね合わせることが容易に可能となる。
【００７２】
第１表示部５２１及び第２表示部５２２は、第１ライン５５１を介して連結される。第１貫通部５４１と第２貫通部５４２は、第２ライン５５２を介して連結される。ここで、第１ライン５５１と第２ライン５５２は、仮想ライン５５０に沿って同一直線状に配置される。この場合、使用者は、第１ライン５５１及び第２ライン５５２に沿ってラベル５１を容易に折り曲げることができる。又、ラベル５１は、第１ライン５５１と第２ライン５５２との２箇所で折り曲げられることになるので、第１表示部５２１及び第２表示部５２２、第１貫通部５４１及び第２貫通部５４２がそれぞれずれることを抑制できる。
【００７３】
台紙５１２のうち、第１ライン５５１と対向する位置にミシン目５１１Ｚが設けられ、第２ライン５５２と対向する位置にミシン目５１２Ｚが設けられる。この場合、使用者は、ラベル５１を台紙５１２から剥がす前に、ミシン目５１１Ｚ、５１２Ｚに沿って第１ラベル媒体６０Ａを折り曲げ、第１ライン５５１及び第２ライン５５２に曲げ癖をつけることができる。従って、使用者は、ラベル５１を台紙５１２から剥がした後、曲げ癖に沿ってラベル５１を折り曲げることによって、第１ライン５５１及び第２ライン５５２に沿ってラベル５１を正確に折り曲げることができる。従って、第１ラベル媒体６０Ａは、ラベル５１が折り曲げられる場合において表示部５２、巻付部５３、貫通部５４がそれぞれずれることを抑制できる。更に、台紙５１２のうち隣接するミシン目５１１Ｚ、５１２Ｚの間に、ミシン目５１３Ｚが設けられる。この場合、使用者は、ラベル５１を台紙５１２から剥がす前に、ミシン目５１１Ｚ、５１２Ｚ、５１３Ｚ（ミシン目５１Ｚ）に沿って第１ラベル媒体６０Ａを容易に折り曲げることができる。
【００７４】
第１表示部５２１、第１巻付部５３１、第１貫通部５４１のそれぞれの直交方向の中央を含む一部は、第１方向に重なる。第２表示部５２２、第２巻付部５３２、第２貫通部５４２のそれぞれの直交方向の中央を含む一部は、第１方向に重なる。この場合、第１ラベル媒体６０Ａは、ラベル５１において第１方向と直交する直交方向の長さを抑制できるので、第１ラベル媒体６０Ａにおいて必要な幅を抑制できる。
【００７５】
貫通部５４の孔５４Ａの長尺方向の長さＣ１は、表示部５２の直交方向の長さＡ１と等しい。この場合、使用者は、被着体Ｋにラベル５１を取り付ける過程で、表示部５２を伸ばした状態で孔５４Ａに通すことができる。従って、使用者は、孔５４Ａに表示部５２を容易に通すことができるので、被着体Ｋにラベル５１を簡単に取り付けることができる。又、貫通部５４の強度を考慮した場合、孔５４Ａの大きさは小さい方が好ましい、これに対し、貫通部５４の孔５４Ａの長さＣ１と、表示部５２の長さＡ１とを同一とすることによって、表示部５２を伸ばした状態で孔５４Ａに通すことができると同時に、孔５４Ａの大きさを抑制できる。従って、第１ラベル媒体６０Ａは、貫通部５４の強度を維持できる。
【００７６】
貫通部５４の孔５４Ａの直交方向の長さＤ１は、巻付部５３の直交方向の長さＢ１と等しい。この場合、使用者は、被着体Ｋにラベル５１を取り付ける過程で、巻付部５３を伸ばした状態で孔５４Ａに通すことができる。従って、使用者は、孔５４Ａに巻付部５３を容易に通すことができるので、被着体Ｋにラベル５１を簡単に取り付けることができる。又、被着体Ｋにラベル５１が保持された状態で、巻付部５３が曲折することを抑制できる。このため、使用者は、被着体Ｋに対してラベル５１を強く保持させることができる。更に、貫通部５４の強度を考慮した場合、孔５４Ａの大きさは小さい方が好ましい、これに対し、貫通部５４の孔５４Ａの長さＣ１と、巻付部５３の長さＢ１とを同一とすることによって、巻付部５３を伸ばした状態で被着体Ｋに取り付け可能としつつ、孔５４Ａの大きさを抑制できる。従って、第１ラベル媒体６０Ａは、貫通部５４の強度を維持できる。
【００７７】
巻付部５３の直交方向の長さＢ１は、表示部５２及び貫通部５４の直交方向の長さＡ１よりも小さい。この場合、表示部５２の直交方向の長さを相対的に大きくできるので、印字装置１による印刷が印刷可能な領域５２Ａの面積を大きくできる。又、貫通部５４は、孔５４Ａの形成により強度が弱くなりやすい。しかし、ラベル５１において貫通部５４の直交方向の長さを相対的に大きくできるので、貫通部５４の強度を維持できる。
【００７８】
表示部５２のうち巻付部５３側と反対側（第２方向側）の端部は、表示テーパ部５２Ｂを有し、直交方向の長さが第２方向側に向かう程小さくなる。この場合、被着体Ｋにラベル５１を取り付ける過程で使用者が貫通部５４の孔５４Ａに表示部５２を挿通させるときに、表示部５２の先端が孔５４Ａに引っ掛かることを抑制できる。又、第１表示部５２１の第１表示テーパ部５２１Ｂと、第２表示部５２２の第２表示テーパ部５２２Ｂとは、それぞれ、仮想ライン５５０を基準として線対称となる位置に配置される。従って、第１ライン５５１に沿ってラベル５１が折り曲げられた場合、表示部５２の表示テーパ部５２Ｂが互いにずれた状態で貼付され、粘着剤が塗布された面が露出することを抑制できる。
【００７９】
使用者は、径の大きな被着体Ｋにラベル５１を取り付ける場合がある。この場合、図７に示すように、ラベル５１の長尺方向の長さを伸ばす為にラベル５１Ａの表示部５２をラベル５１Ｂの貫通部５４に貼り付けて使用する場合がある。この場合、ラベル５１Ａ、５１Ｂのそれぞれの直交方向の位置を揃えるために、ラベル５１Ａの表示部５２とラベル５１Ｂの貫通部５４とがずれないように貼り付ける必要がある。これに対し、表示部５２のうち巻付部５３側と反対側（第２方向側）の端部は表示テーパ部５２Ｂを有し、貫通部５４のうち巻付部５３側（第２方向側）の端部は貫通テーパ部５４Ｂを有する。第２方向に対する表示テーパ部５２Ｂの傾斜角度θ１と、第２方向に対する貫通テーパ部５４Ｂの傾斜角度θ１とは同一である。従って使用者は、ラベル５１Ａの表示部５２の表示テーパ部５２Ｂと、ラベル５１Ｂの貫通部５４の貫通テーパ部５４Ｂとのそれぞれの位置を揃えて貼り付けることによって、ラベル５１Ａ、５１Ｂの直交方向の位置を揃えて貼り付けることができる。
【００８０】
ラベル５１及び枠状部５０を含む基材５１１と台紙５１２との間に、粘着剤が塗布される。このため使用者は、ラベル５１を台紙５１２から剥がし、第１ライン５５１及び第２ライン５５２に沿ってラベル５１を折り曲げることによって、第１表示部５２１及び第２表示部５２２、第１巻付部５３１及び第２巻付部５３２、第１貫通部５４１及び第２貫通部５４２を粘着剤によって貼り合わせることができる。
【００８１】
基材５１１及び台紙５１２は長尺状を有する。ラベル５１Ａ、５１Ｂ、５１Ｃ・・・は、台紙５１２の長尺方向に並んで配置される。ラベル５１において、表示部５２、巻付部５３、貫通部５４は、長尺方向と平行な第１方向に並ぶ。この場合、第１ラベル媒体６０Ａは、ラベル５１Ａ、５１Ｂ、５１Ｃ・・・を直交方向に並べて配置する場合と比べて、ラベル５１Ａ、５１Ｂ、５１Ｃ・・・を台紙５１２に効率的に並べて配置させることができる。
【００８２】
第１ライン５５１及び第２ライン５５２は、基材５１１に形成されたミシン目である。この場合、使用者は、第１ライン５５１及び第２ライン５５２に沿ってラベル５１を容易に折り曲げることができる。
【００８３】
基材５１１と台紙５１２は同一形状を有する。基材５１１は、ラベル５１と、ラベル５１を除く部位である枠状部５０とを有する。基材５１１のうち、ラベル５１と枠状部５０との境界部分には、切れ目が形成される。この場合、使用者は、基材５１１を切れ目によって切り離すことによって、台紙５１２からラベル５１のみを剥がすことができる。
【００８４】
ラベル５１において、第１表示部５２１と第２表示部５２２は同一形状かつ同一サイズである。第１巻付部５３１と第２巻付部５３２は同一形状かつ同一サイズである。第１貫通部５４１と第２貫通部５４２は同一形状かつ同一サイズである。従って、使用者は、第１ライン５５１及び第２ライン５５２に沿ってラベル５１を折り曲げたときに、第１表示部５２１及び第２表示部５２２、第１巻付部５３１及び第２巻付部５３２、第１貫通部５４１及び第２貫通部５４２をずれなく重ね合わせることが可能となる。
【００８５】
第１孔５４１Ａと第１巻付部５３１とは長尺方向に並ぶ。同様に、第２孔５４２Ａと第２巻付部５３２とは長尺方向に並ぶ。このため、第１孔５４１Ａと第１巻付部５３１とは第１方向に重なり、且つ、第２孔５４２Ａと第２巻付部５３２は第１方向に重なる。この場合、被着体Ｋにラベル５１を取り付ける過程で巻付部５３を長尺方向に折り曲げることによって、巻付部５３を貫通部５４の孔５４Ａに通すことができる。この場合、巻付部５３の折り曲げ方向と、被着体Ｋの延びる方向とは直交することになるので、被着体Ｋに対する巻付部５３の接触面積を大きくできる。従って、使用者は、被着体Ｋにラベル５１を安定的に取り付けることができる。
【００８６】
テープカセット６は、第１ラベル媒体６０Ａがテープスプール７２に巻回されたロール６００を含む。第１ラベル媒体６０Ａの第２方向側の端部は、テープスプール７２に接続する。第１ラベル媒体６０Ａは、搬送の過程で、第１方向側から順にサーマルヘッド２９の近傍を通過する。印字装置１は、サーマルヘッド２９の近傍を通過する第１ラベル媒体６０Ａのラベル５１の表示部５２（領域５２Ａ）に対し、情報を印刷する。第１ラベル媒体６０Ａのうち印刷されたラベル５１を含む部分は、ラベル排出口２６から排出される。
【００８７】
印字装置１は、印刷の開始時点で第１ラベル媒体６０Ａのうちサーマルヘッド２９の近傍よりも下流側の部分（即ち、第１ラベル媒体６０Ａのうちサーマルヘッド２９の近傍とラベル排出口２６の近傍との間の部分）に対して印刷を実行できない場合がある。理由は、第１ラベル媒体６０Ａの上記部分は、サーマルヘッド２９の近傍を既に通過して下流側に移動しているためである。この場合、印字装置１は第１ラベル媒体６０Ａを効率的に使用することができないため、好ましくない。
【００８８】
これに対し、第１ラベル媒体６０Ａのラベル５１の第１表示部５２１、第１巻付部５３１、及び前記第１貫通部５４１は、この順に第１方向に並び、第２表示部５２２、第２巻付部５３２、及び前記第２貫通部５４２は、この順に第１方向に並ぶ。つまり、第１ラベル媒体６０Ａが印刷時に搬送される過程で、ラベル５１の貫通部５４及び巻付部５３がサーマルヘッド２９の近傍を通過した後、ラベル５１の表示部５２がサーマルヘッド２９の近傍を通過する。従って、印字装置１は、印刷の開始時点で第１ラベル媒体６０Ａのうちサーマルヘッド２９の近傍よりも下流側の部分に表示部５２が含まれる可能性を軽減できる。従って、印字装置１は、第１ラベル媒体６０Ａを効率的に使用して表示部５２の領域５２Ａに情報を印刷できる。
【００８９】
＜第２実施例：第２ラベル媒体６０Ｂ＞
図８を参照し、ラベル媒体６０の第２実施例である第２ラベル媒体６０Ｂについて説明する。第１ラベル媒体６０Ａ（図５参照）と異なる点は、貫通部５４（図５参照）の代わりに貫通部５９を有する点である。その他の構成は第１ラベル媒体６０Ａと同一である。第２ラベル媒体６０Ｂのラベル５６（ラベル５６Ａ、５６Ｂ、５６Ｃ・・・）は、第１ラベル媒体６０Ａのラベル５１（ラベル５１Ａ、５１Ｂ、５１Ｃ・・・）に対応する。以下、第１ラベル媒体６０Ａと同一構成については、第１ラベル媒体６０Ａと同一符号を付し、説明を省略する。
【００９０】
図８（Ａ）に示すように、貫通部５９は、直交方向の長さが貫通部５４よりも短い。より詳細には、貫通部５９の直交方向の長さは、表示部５２の直交方向の長さＡ１よりも短く、巻付部５３の直交方向の長さＢ１よりも長い。第１貫通部５９１及び第２貫通部５９２は、それぞれ、貫通部５４の第１貫通部５４１及び第２貫通部５４２（図５参照）に対応する。第１貫通部５９１の第４方向側の端部と、第２貫通部５９２の第３方向側の端部とは、直交方向に離隔する。つまり、ラベル５６において、第１表示部５２１及び第２表示部５２２と、第１巻付部５３１及び第２巻付部５３２と、第１貫通部５９１及び第２貫通部５９２とのうち、第１表示部５２１及び第２表示部５２２のみが、第１ライン５５１を介して連結される。第１貫通部５９１は第１孔５４１Ａを有し、第２貫通部５９２は第２孔５４２Ａを有する。第１孔５４１Ａ、第２孔５４２Ａは、仮想ライン５５０を基準として線対称となる位置に配置される。
【００９１】
貫通部５９の第２方向側の端部のうち、巻付部５３との連結部分に対して第３方向及び第４方向の部分は、直交方向に対して傾斜した貫通テーパ部５９Ｂを有する。貫通テーパ部５９Ｂにより、貫通部５９の第２方向側の端部の直交方向の長さは、第２方向に向かう程小さくなる。第１貫通部５９１が有する貫通テーパ部５９Ｂを、「第１貫通テーパ部５９１Ｂ」といい、第２貫通部５９２が有する貫通テーパ部５９Ｂを、「第２貫通テーパ部５９２Ｂ」という。第２方向に対する貫通テーパ部５９Ｂの傾斜角度は、第２方向に対する表示テーパ部５２Ｂの傾斜角度と等しく、θ１である。
【００９２】
図８（Ｂ）に示すように、台紙５１２には、長尺方向に一直線状に延びるミシン目５６Ｚが設けられる。ミシン目５６Ｚは、台紙５１２のうち、ラベル５６Ａ、５６Ｂ、５６Ｃのそれぞれの第１ライン５５１と対向する位置を通過する。つまり、ミシン目５６Ｚは、台紙５１２のうち仮想ライン５５０と対向する位置に配置される。ミシン目５６Ｚは、台紙５１２のうち第１ライン５５１と対向する位置に設けられたミシン目５６１Ｚ、隣接するミシン目５６１Ｚの間に設けられたミシン目５６３Ｚを有する。
【００９３】
＜第２実施例の作用、効果＞
第２ラベル媒体６０Ｂでは、ラベル５６のうち第１表示部５２１及び第２表示部５２２のみが、第１ライン５５１を介して連結される。第１貫通部５９１及び第２貫通部５９２は離隔し、ラインを介して連結されない。この場合、第２ラベル媒体６０Ｂは、表示部５２と貫通部５９とのそれぞれの直交方向の長さを異なる長さとすることが容易に可能となる。
【００９４】
＜第３実施例：第３ラベル媒体６０Ｃ＞
図９を参照し、ラベル媒体６０の第３実施例である第３ラベル媒体６０Ｃについて説明する。第１ラベル媒体６０Ａ（図５参照）と異なる点は、表示部５２（図５参照）の代わりに表示部５７を有する点である。その他の構成は第１ラベル媒体６０Ａと同一である。第３ラベル媒体６０Ｃのラベル５８（ラベル５８Ａ、５８Ｂ、５８Ｃ・・・）は、第１ラベル媒体６０Ａのラベル５１（ラベル５１Ａ、５１Ｂ、５１Ｃ・・・）に対応する。以下、第１ラベル媒体６０Ａと同一構成については、第１ラベル媒体６０Ａと同一符号を付し、説明を省略する。
【００９５】
図９（Ａ）に示すように、表示部５７は、直交方向の長さ（「Ａ３」と表記する。）が、表示部５２の直交方向の長さＡ１（図５参照）よりも短い。より詳細には、表示部５７の直交方向の長さＡ３は、貫通部５４の直交方向の長さＡ１よりも短く、巻付部５３の直交方向の長さＢ１よりも長い。第１表示部５７１及び第２表示部５７２は、それぞれ、表示部５２の第１表示部５２１及び第２表示部５２２（図５参照）に対応する。第１表示部５７１の第４方向側の端部と、第２表示部５７２の第３方向側の端部とは、直交方向に離隔する。つまり、ラベル５８において、第１表示部５７１及び第２表示部５７２と、第１巻付部５３１及び第２巻付部５３２と、第１貫通部５４１及び第２貫通部５４２とのうち、第１貫通部５４１及び第２貫通部５４２のみが、第２ライン５５２を介して連結される。第１表示部５７１は領域５７１Ａを有し、第２表示部５７２は領域５７２Ａを有する。領域５７１Ａ、５７２Ａ（総称して、「領域５７Ａ」という。）には、インクリボン６１３のインクが転写されることによって情報が印刷される。
【００９６】
表示部５７の第２方向側の端部のうち直交方向の両端部近傍は、直交方向に対して傾斜した表示テーパ部５７Ｂを有する。表示テーパ部５７Ｂにより、表示部５７の第２方向側の端部の直交方向の長さは、第２方向に向かう程小さくなる。第１表示部５７１が有する表示テーパ部５７Ｂを、「第１表示テーパ部５７１Ｂ」といい、第２表示部５７２が有する表示テーパ部５７Ｂを、「第２表示テーパ部５７２Ｂ」という。第２方向に対する表示テーパ部５２Ｂの傾斜角度は、第２方向に対する貫通テーパ部５４Ｂの傾斜角度と等しく、θ１である。
【００９７】
図９（Ｂ）に示すように、台紙５１２には、長尺方向に一直線状に延びるミシン目５８Ｚが設けられる。ミシン目５８Ｚは、台紙５１２のうち、ラベル５８Ａ、５８Ｂ、５８Ｃのそれぞれの第２ライン５５２と対向する位置を通過する。つまり、ミシン目５６Ｚは、台紙５１２のうち仮想ライン５５０と対向する位置に配置される。ミシン目５８Ｚは、台紙５１２のうち第２ライン５５２と対向する位置に設けられたミシン目５８２Ｚ、隣接するミシン目５８２Ｚの間に設けられたミシン目５８３Ｚを有する。
【００９８】
＜第３実施例の作用、効果＞
第２ラベル媒体６０Ｂでは、ラベル５８のうち第１貫通部５４１及び第２貫通部５４２のみが、第２ライン５５２を介して連結される。第１表示部５７１及び第２表示部５７２は離隔し、ラインを介して連結されない。この場合、第３ラベル媒体６０Ｃは、第２実施例における第２ラベル媒体６０Ｂと同様、表示部５７と貫通部５４とのそれぞれの直交方向の長さを異なる長さとすることが容易に可能となる。
【００９９】
＜第４実施例：第４ラベル媒体６０Ｄ＞
図１０を参照し、ラベル媒体６０の第４実施例である第４ラベル媒体６０Ｄについて説明する。図１０（Ａ）に示すように、第４ラベル媒体６０Ｄは、ラベル８１Ａ、８１Ｂ、８１Ｃ・・・（総称して「ラベル８１」という。）を有する。ラベル８１は、第１表示部８２１、第２表示部８２２、第１巻付部８３１、第２巻付部８３２、第１貫通部８４１、第２貫通部８４２を有する。第１表示部８２１、第２表示部８２２、第１巻付部８３１、第２巻付部８３２、第１貫通部８４１、第２貫通部８４２は、第１ラベル媒体６０Ａのラベル５１における第１表示部５２１、第２表示部５２２、第１巻付部５３１、第２巻付部５３２、第１貫通部５４１、第２貫通部５４２（図５参照）と同一形状且つ同一サイズを有する。
【０１００】
第１表示部８２１、第２表示部８２２を総称して「表示部８２」という。表示部８２の直交方向の長さはＡ１である。表示部８２はインクリボン６１３のインクが転写されることによって情報が印刷される領域８２Ａを有する。第１表示部８２１が有する領域８２Ａを、「領域８２１Ａ」といい、第２表示部８２２が有する領域８２Ａを、「領域８２２Ａ」という。第１巻付部８３１、第２巻付部８３２を総称して「巻付部８３」という。巻付部８３の直交方向の長さはＢ１である。第１貫通部８４１、第２貫通部８４２を総称して「貫通部８４」という。第１貫通部８４１は第１孔８４１Ａを有し、第２貫通部８４２は第２孔８４２Ａを有する。第１孔８４１Ａ、第２孔８４２Ａを総称して、「孔８４Ａ」という。孔８４Ａの長尺方向の長さはＣ１であり、孔８４Ａの直交方向の長さはＤ１である。
【０１０１】
第１表示部８２１、第１巻付部８３１、第１貫通部８４１は、第１ラベル媒体６０Ａのラベル５１における第１表示部５２１、第１巻付部５３１、第１貫通部５４１（図５参照）と同様に連結し、且つ、長尺方向の向きが一致する。このため、第１表示部８２１、第１巻付部８３１、第１貫通部８４１は、この順番で第１方向に並ぶ。一方、第２表示部８２２、第２巻付部８３２、第２貫通部８４２は、第１ラベル媒体６０Ａのラベル５１における第２表示部５２２、第２巻付部５３２、第２貫通部５４２（図５参照）と同様に連結し、且つ、長尺方向の向きが反転する。このため、第２表示部８２２、第２巻付部８３２、第２貫通部８４２は、この順番で第２方向に並ぶ。
【０１０２】
第１表示部８２１、第１巻付部８３１、第１貫通部８４１は、第２表示部８２２、第２巻付部８３２、第２貫通部８４２に対して第１方向側に配置される。第１表示部８２１は、第２表示部８２２に対して第１方向側に隣接して配置される。第２貫通部８４２、第２巻付部８３２、第２表示部８２２、第１表示部８２１、第１巻付部８３１、第１貫通部８４１は、この順番で第１方向に並ぶ。第１表示部８２１、第１巻付部８３１、第１貫通部８４１、第２表示部８２２、第２巻付部８３２、第２貫通部８４２のそれぞれの直交方向の中央を含む一部は、第１方向に重なる。
【０１０３】
第１表示部８２１の第２方向側の端部と、第２表示部８２２の第１方向側の端部とは、第１ライン８５１を介して互いに連結される。第１ライン８５１は、直交方向と平行に延びる。第１ライン８５１は、基材５１１に形成されたミシン目である。第１表示部８２１は、第２方向の端部のうち第１ライン８５１よりも第３方向側及び第４方向側に、第１表示テーパ部８２１Ｂを有する。第２表示部８２２は、第１方向の端部のうち第１ライン８５１よりも第３方向側及び第４方向側に、第２表示テーパ部８２２Ｂを有する。
【０１０４】
第１表示部８２１及び第２表示部８２２、第１巻付部８３１及び第２巻付部８３２、第１貫通部８４１及び第２貫通部８４２は、第１ライン８５１を通って直交方向に延びる仮想ライン８５０を基準として線対称の形状を有する。第１孔８４１Ａ、第２孔８４２Ａは、仮想ライン８５０を基準として線対称となる位置に配置される。
【０１０５】
図１０（Ｂ）に示すように、台紙５１２は、直交方向に一直線状に延びる複数のミシン目８１Ｚが複数設けられる。図１０（Ｂ）では、複数のミシン目８１Ｚのうちラベル８１Ｂに対応するミシン目８１Ｚのみ示されている。ミシン目８１Ｚは、台紙５１２のうち、ラベル８１の第１ライン８５１と対向する位置を通過する。つまり、ミシン目８１Ｚは、台紙５１２のうち仮想ライン８５０と対向する位置に配置される。ミシン目８１Ｚは、台紙５１２のうち第１ライン８５１と対向する位置に設けられたミシン目８１１Ｚと、ミシン目８１１Ｚから直交方向に延びるミシン目８１３Ｚを有する。
【０１０６】
被着体Ｋに対してラベル８１が取り付けられる場合、使用者は、台紙５１２のミシン目８１Ｚに沿って第４ラベル媒体６０Ｄを折り曲げ、元に戻す。これによって、基材５１１の第１ライン８５１に曲げ癖がつく。第４ラベル媒体６０Ｄの台紙５１２からラベル８１が剥がされる。使用者は、ラベル８１を第１ライン８５１で折り曲げ、ラベル５１のうち粘着剤が塗布された面同士を貼り合わせる。第１表示部８２１及び第２表示部８２２、第１巻付部８３１及び第２巻付部８３２、第１貫通部８４１及び第２貫通部８４２は、第１孔５４１Ａ及び第２孔５４２Ａは、それぞれずれなく貼付される。
【０１０７】
＜第４実施例の作用、効果＞
第４ラベル媒体６０Ｄにおいて、第１ライン８５１は直交方向に延びる。使用者は、第１ライン８５１に沿ってラベル８１を折り曲げることによって、被着体Ｋに保持可能な状態とすることができる。又、ラベル８１では、第１表示部８２１及び第２表示部８２２が第１ライン８５１を介して連結される。この場合、使用者は、第１ライン８５１に沿ってラベル８１を折り曲げる場合において、第１ライン８５１に近接する第１表示部８２１及び第２表示部８２２がずれることを抑制できる。
【０１０８】
第４ラベル媒体６０Ｄにおいて、第１表示部８２１、第１巻付部８３１、第１貫通部８４１、第２表示部８２２、第２巻付部８３２、第２貫通部８４２のそれぞれの直交方向の中央を含む一部は、第１方向に重なる。この場合、第１実施例〜第３実施例と比べて、ラベル８１の直交方向の長さを抑制できるので、第４ラベル媒体６０Ｄの幅を抑制できる。
【０１０９】
＜第５実施例：第５ラベル媒体６０Ｅ＞
図１１を参照し、ラベル媒体６０の第５実施例である第５ラベル媒体６０Ｅについて説明する。第４ラベル媒体６０Ｄ（図１０参照）と異なる点は、第１表示部８２１、第１巻付部８３１、第１貫通部８４１、第２表示部８２２、第２巻付部８３２、第２貫通部８４２の配列順である。第５ラベル媒体６０Ｅのラベル８６（ラベル８６Ａ、８６Ｂ、８６Ｃ・・・）は、第４ラベル媒体６０Ｄのラベル８１（ラベル８１Ａ、８１Ｂ、８１Ｃ・・・）（図１０参照）に対応する。
【０１１０】
図１１（Ａ）に示すように、第１表示部８２１、第１巻付部８３１、第１貫通部８４１は、この順番で第１方向に並ぶ。第２表示部８２２、第２巻付部８３２、第２貫通部８４２は、この順番で第２方向に並ぶ。第１表示部８２１、第１巻付部８３１、第１貫通部８４１は、第２表示部８２２、第２巻付部８３２、第２貫通部８４２に対して第２方向側に配置される。第１貫通部８４１は、第２貫通部８４２に対して第２方向側に隣接して配置される。第１表示部８２１、第１巻付部８３１、第１貫通部８４１、第２貫通部８４２、第２巻付部８３２、第２表示部８２２は、この順番で第１方向に並ぶ。第１表示部８２１、第１巻付部８３１、第１貫通部８４１、第２表示部８２２、第２巻付部８３２、第２貫通部８４２のそれぞれの直交方向の中央を含む一部は、第１方向に重なる。
【０１１１】
第１貫通部８４１の第１方向側の端部と、第２貫通部８４２の第２方向側の端部とは、第２ライン８５２を介して互いに連結される。第２ライン８５２は、直交方向と平行に延びる。第２ライン８５２は、基材５１１に形成されたミシン目である。第１表示部８２１及び第２表示部８２２、第１巻付部８３１及び第２巻付部８３２、第１貫通部８４１及び第２貫通部８４２は、第２ライン８５２を通って直交方向に延びる仮想ライン８５３を基準として線対称の形状を有する。第１孔８４１Ａ、第２孔８４２Ａは、仮想ライン８５３を基準として線対称となる位置に配置される。
【０１１２】
図１１（Ｂ）に示すように、台紙５１２は、直交方向に一直線状に延びる複数のミシン目８６Ｚが設けられる。各ミシン目８６Ｚは、台紙５１２のうち、ラベル８６の第２ライン８５２と対向する位置を通過する。つまり、ミシン目８６Ｚは、台紙５１２のうち仮想ライン８５３と対向する位置に配置される。ミシン目８６Ｚは、台紙５１２のうち第２ライン８５２と対向する位置に設けられたミシン目８６２Ｚと、ミシン目８６２Ｚから直交方向に延びるミシン目８６３Ｚを有する。
【０１１３】
ケーブル状の被着体Ｋに対してラベル８１が取り付けられる場合、使用者は、台紙５１２のミシン目８６Ｚに沿って第５ラベル媒体６０Ｅを折り曲げ、元に戻す。これによって、基材５１１の第２ライン８５２に曲げ癖がつく。第５ラベル媒体６０Ｅの台紙５１２からラベル８６が剥がされる。使用者は、ラベル８６を第２ライン８５２で折り曲げ、ラベル５１のうち粘着剤が塗布された面同士を貼り合わせる。
【０１１４】
＜第５実施例の作用、効果＞
ラベル８６では、第１貫通部８４１及び第２貫通部８４２が第２ライン８５２を介して連結される。この場合、使用者は、第２ライン８５２に沿ってラベル８６を折り曲げる場合において、第２ライン８５２に近接する第１貫通部８４１及び第２貫通部８４２がずれることを抑制できる。又、第５実施例では、第４実施例と比べて、第１孔８４１Ａ及び第２孔８４２Ａがずれることを抑制できる。このため、被着体Ｋにラベル８６を取り付ける過程において、孔８４Ａに表示部８２及び巻付部８３を適切に通すことができる。
【０１１５】
＜第６実施例：第６ラベル媒体６０Ｆ＞
図１２を参照し、ラベル媒体６０の第６実施例である第６ラベル媒体６０Ｆについて説明する。第１ラベル媒体６０Ａ（図５参照）と異なる点は、巻付部５３、貫通部５４（図５参照）の代わりに巻付部９３、貫通部９４を有する点である。その他の構成は第１ラベル媒体６０Ａと同一である。第６ラベル媒体６０Ｆのラベル９１（ラベル９１Ａ、９１Ｂ、９１Ｃ・・・）は、第１ラベル媒体６０Ａのラベル５１（ラベル５１Ａ、５１Ｂ、５１Ｃ・・・）に対応する。以下、第１ラベル媒体６０Ａと同一構成については、第１ラベル媒体６０Ａと同一符号を付し、説明を省略する。
【０１１６】
図１２（Ａ）に示すように、巻付部９３は、長尺方向の長さが巻付部５３よりも長い。貫通部９４は、長尺方向の長さが貫通部５４よりも短い。第１巻付部９３１及び第２巻付部９３２は、それぞれ、巻付部５３の第１巻付部５３１及び第２巻付部５３２（図５参照）に対応する。巻付部５３の直交方向の長さを、「Ｂ６」と表記する。第１貫通部５９１及び第２貫通部５９２は、それぞれ、貫通部５４の第１貫通部５４１及び第２貫通部５４２（図５参照）に対応する。第１貫通部９４１の第４方向側の端部と、第２貫通部９４２の第３方向側の端部とは、第２ライン９５２を介して連結される。第２ライン９５２は、基材５１１に形成されたミシン目である。第２ライン９５２は、第１ライン５５１と同一直線状に延びる。第１ライン５５１及び第２ライン９５２を通過して長尺方向に一直線状に延びるラインを、仮想ライン９５０と定義する。
【０１１７】
第１貫通部９４１は第１切れ目９４１Ａを有し、第２貫通部９４２は第２切れ目９４２Ａを有する。第１切れ目９４１Ａ、第２切れ目９４２Ａは、直交方向に延びる。第１切れ目９４１Ａ、第２切れ目９４２Ａは、仮想ライン９５０を基準として線対称となる位置に配置される。第１切れ目９４１Ａ、第２切れ目９４２Ａのそれぞれの直交方向の長さＤ６は、巻付部９３の直交方向の長さＢ６と同一である。
【０１１８】
第１貫通部９４１及び第１巻付部９３１に亘って第１切れ目９４１Ｃが形成される。第１切れ目９４１Ｃは、第１切れ目９４１Ａの直交方向中央から第２方向に向けて、第１貫通部９４１及び第１巻付部９３１のそれぞれの直交方向中央を通って延びる。第２貫通部９４２及び第２巻付部９３２に亘って第２切れ目９４２Ｃが形成される。第２切れ目９４２Ｃは、第１切れ目９４１Ａの直交方向中央から第２方向に向けて、第２貫通部９４２及び第２巻付部９３２のそれぞれの直交方向中央を通って延びる。第１切れ目９４１Ｃ、第２切れ目９４２Ｃは、仮想ライン９５０を基準として線対称となる位置に配置される。第１切れ目９４１Ｃ、第２切れ目９４２Ｃのそれぞれの長尺方向の長さＣ６は、表示部５２の直交方向の長さＡ１と同一である。第１切れ目９４１Ａ、第２切れ目９４２Ａを総称して、「切れ目９４Ａ」といい、第１切れ目９４１Ｃ、第２切れ目９４２Ｃを総称して、「切れ目９４Ｃ」という。
【０１１９】
貫通部９４の第２方向側の端部のうち、巻付部９３との連結部分に対して第３方向及び第４方向の部分は、直交方向に対して傾斜した貫通テーパ部９４Ｂを有する。貫通テーパ部９４Ｂにより、貫通部９４の第２方向側の端部の直交方向の長さは、第２方向に向かう程小さくなる。第１貫通部９４１が有する貫通テーパ部９４Ｂを、「第１貫通テーパ部９４１Ｂ」といい、第２貫通部９４２が有する貫通テーパ部９４Ｂを、「第２貫通テーパ部９４２Ｂ」という。第２方向に対する貫通テーパ部９４Ｂの傾斜角度は、第２方向に対する表示テーパ部５２Ｂの傾斜角度と等しく、θ１である。
【０１２０】
図１２（Ｂ）に示すように、台紙５１２には、長尺方向に一直線状に延びるミシン目９１Ｚが設けられる。ミシン目９１Ｚは、台紙５１２のうち、ラベル９１Ａ、９１Ｂ、９１Ｃのそれぞれの第１ライン５５１及び第２ライン９５２と対向する位置を通過する。つまり、ミシン目９１Ｚは、台紙５１２のうち仮想ライン９５０と対向する位置に配置される。ミシン目９１Ｚは、台紙５１２のうち第１ライン５５１と対向する位置に設けられたミシン目９１１Ｚ、第２ライン９５２と対向する位置に設けられたミシン目９１２Ｚ、隣接するミシン目９１１Ｚ、９１２Ｚの間に設けられたミシン目９１３Ｚを有する。
【０１２１】
被着体Ｋに対してラベル９１が取り付けられる場合、使用者は、ラベル９１を第１ライン５５１及び第２ライン９５２で折り曲げ、ラベル５１のうち粘着剤が塗布された面同士を貼り合わせる。ここで、第１表示部５２１及び第２表示部５２２、第１巻付部９３１及び第２巻付部９３２、第１貫通部９４１及び第２貫通部９４２は、それぞれ、ずれなく貼付される。第１切れ目９４１Ａ、第２切れ目９４２Ａ、及び、第１切れ目９４１Ｃ、第２切れ目９４２Ｃはずれなく貼付される。
【０１２２】
使用者は、巻付部９３を捻って折り曲げ、貫通部９４の切れ目９４Ｃに表示部５２を通す。次に使用者は、巻付部９３の捻りを元に戻し、貫通部９４の切れ目９４Ａに巻付部９３を通す。これにより、巻付部９３は被着体Ｋに巻き付く。次に使用者は、表示部５２及び巻付部９３を引っ張る。被着体Ｋに対して巻付部９３が締め付けられる。これにより、被着体Ｋに対するラベル９１の取り付けは完了する。
【０１２３】
＜第６実施例の作用、効果＞
ラベル９１において、切れ目９４Ｃの長尺方向の長さＣ６は、表示部５２の直交方向の長さＡ１と等しい。この場合、使用者は、被着体Ｋにラベル９１を取り付ける過程で、表示部５２を伸ばした状態で切れ目９４Ｃに通すことができる。従って、使用者は、切れ目９４Ｃに表示部５２を容易に通すことができるので、被着体Ｋにラベル９１を簡単に取り付けることができる。
【０１２４】
貫通部５４の切れ目９４Ａの直交方向の長さＤ６は、巻付部９３の直交方向の長さＢ６と等しい。この場合、被着体Ｋにラベル９１が保持された状態で、巻付部９３が曲折することを抑制できる。このため、使用者は、被着体Ｋに対してラベル９１を強く保持させることができる。
【０１２５】
＜変形例＞
本発明は上記実施形態に限定されず、種々の変更が可能である。以下、特段限定のない限り、第１実施例における第１ラベル媒体６０Ａ（ラベル５１）を例に挙げて説明するが、他の実施例（第２〜第６実施例）にも同様の変形例が適用可能である。
【０１２６】
上記において、「長さが同一」とは、完全同一である場合だけでなく、実質同一の場合を包含するこうとは言うまでもない。このため例えば、表示部５２の直交方向の長さＡ１と貫通部５４の孔５４Ａの長尺方向の長さＣ１とは、実質的に同一であればよく、厳密には双方は相違していてもよい。同様に、巻付部５３の直交方向の長さＢ１と、貫通部５４の孔５４Ａの直交方向の長さＤ１とは、実質的に同一であればよく、厳密には双方は相違していていてもよい。同様に、「仮想ライン５５０に対して線対称」とは、厳密な対称関係だけでなく、実質的に対称関係を有している場合を包含することは言うまでもない。このため例えば、第１表示部５２１と第２表示部５２２、第１巻付部５３１と第２巻付部５３２、第１貫通部５４１と第２貫通部５４２、第１孔５４１Ａと第２孔５４２Ａは、それぞれ、仮想ライン５５０に対する対称形状に対して僅かに相違していてもよい。
【０１２７】
表示部５２の直交方向の長さＡ１を、貫通部５４の孔５４Ａの長尺方向の長さＣ１よりも小さくしてもよい。この場合、使用者は、貫通部５４の孔５４Ａに表示部５２を更に容易に貫通させることができる。巻付部５３の直交方向の長さＢ１を、貫通部５４の孔５４Ａの直交方向の長さＤ１よりも小さくしてもよい。この場合、使用者は、貫通部５４に巻付部５３が貫通した状態で、巻付部５３が折れ曲がることを更に適切に抑制できる。
【０１２８】
台紙５１２には、ミシン目５１Ｚの代わりに切れ目が形成されてもよい。台紙５１２に形成されるミシン目５１Ｚは、ラベル５１のうち第１ライン５５１に対向する位置にのみ形成されていてもよいし、第２ライン５５２に対向する位置にのみ形成されていてもよい。基材５１１は、枠状部５０を有していなくてもよい。つまり、台紙５１２にはラベル５１のみ貼付されていてもよい。台紙５１２には、ラベル５１が貼付される第１領域と、ラベル５１が貼付されない第２領域とを含むことになる。この場合、使用者は、台紙５１２からラベル５１を容易に剥がすことができる。
【０１２９】
巻付部５３の直交方向の長さを、表示部５２及び貫通部５４のそれぞれの直交方向の長さＡ１と同一としてもよい。即ち、表示部５２、巻付部５３、貫通部５４のそれぞれの直交方向の長さを同一としてもよい。この場合、第１表示部５２１、第１巻付部５３１、第１貫通部５４１のそれぞれは、直交方向の全域に亘って第１方向に重なる。第２表示部５２２、第２巻付部５３２、第２貫通部５４２のそれぞれは、直交方向の全域に亘って第１方向に重なる。一方、第１表示部５２１、第１巻付部５３１、第１貫通部５４１は、第１方向に重ならなくてもよい。同様に、第２表示部５２２、第２巻付部５３２、第２貫通部５４２は、第１方向に重ならなくてもよい。第１巻付部５３１及び第２巻付部５３２は、ミシン目で形成されたラインを介して連結されてもよい。
【０１３０】
第１表示部５２１及び第２表示部５２２のそれぞれの少なくとも一部が、仮想ライン５５０を基準として線対称となる位置に配置されればよい。第１表示部５２１及び第２表示部５２２は異なる形状を有していてもよい。第１巻付部５３１及び第２巻付部５３２のそれぞれの少なくとも一部が、仮想ライン５５０を基準として線対称となる位置に配置されればよい。第１貫通部５４１、第２貫通部５４２は異なる形状を有していてもよい。この場合、第１貫通部５４１及び第２貫通部５４２のそれぞれの少なくとも一部が、第２ライン５５２を基準として線対称となる位置に配置されればよい。第１孔５４１Ａ、第２孔５４２Ａは異なる形状を有していてもよい。この場合、第１孔５４１Ａ、第２孔５４２Ａのそれぞれの少なくとも一部が、第２ライン５５２を基準として線対称となる位置に配置されればよい。貫通部５４は、孔５４Ａに加えて切れ目を有していてもよい。貫通部９４は、切れ目９４Ａ、９４Ｃに加えて孔を有していてもよい。
【０１３１】
第１ライン５５１及び第２ライン５５２は、長尺方向と交差する方向に延びていてもよい。第１ライン５５１と第２ライン５５２とは、同一直線状に配置されていなくてもよい。第１ライン８５１及び第２ライン８５２は、直交方向と交差する方向に延びていてもよい。
【０１３２】
表示部５２の表示テーパ部５２Ｂは、仮想ライン５５０に対して非対称の形状を有していてもよい。表示部５２は、表示テーパ部５２Ｂを有していなくてもよい。即ち、表示部５２のうち巻付部５３と反対側の端部は、全域に亘って直交方向に延びていてもよい。貫通部５４の貫通テーパ部５４Ｂは、仮想ライン５５０に対して非対称の形状を有していてもよい。貫通部５４は、貫通テーパ部５４Ｂを有していなくてもよい。即ち、貫通部５４のうち巻付部５３側の端部は、全域に亘って直交方向に延びていてもよい。
【０１３３】
表示部５２、巻付部５３、貫通部５４は、この順番で、テープスプール７２に接続する側に順番に並んでいてもよい。又、表示部５２、巻付部５３、貫通部５４の並ぶ順は、複数のラベル５１毎に異なっていてもよい。
【０１３４】
第４実施例において、巻付部８３の直交方向の長さを、表示部８２及び貫通部８４のそれぞれの直交方向の長さＡ１と同一としてもよい。即ち、表示部８２、巻付部８３、貫通部８４のそれぞれの直交方向の長さを同一としてもよい。この場合、第１表示部８２１、第１巻付部８３１、第１貫通部８４１、第２表示部８２２、第２巻付部８３２、第２貫通部８４２のそれぞれは、直交方向の全域に亘って第１方向に重なる。一方、第１表示部８２１、第１巻付部８３１、第１貫通部８４１、第２表示部８２２、第２巻付部８３２、第２貫通部８４２は、第１方向に重ならなくてもよい。
【０１３５】
ラベル５１Ａ、５１Ｂ、５１Ｃ・・・は、直交方向に配列されてもよい。表示部５２、巻付部５３、貫通部５４は、この順で直交方向に並んでいてもよい。基材５１１及び台紙５１２は長尺状でなくてもよい。ライン５５はミシン目である場合に限定されない。例えばライン５５は、基材５１１に予め印刷された直線又は点線であってもよい。
【０１３６】
第６実施例において、切れ目９４Ａ、９４Ｃは、いずれも、貫通部９４にのみ設けられていてもよい。つまり、切れ目９４Ｃは貫通部９４の領域でのみ長尺方向に延び、巻付部９３には設けられていなくてもよい。
【符号の説明】
【０１３７】
１        ：印字装置
６        ：テープカセット
５１、５６、５８、８１、８６、９１      ：ラベル
５１Ｚ、５６Ｚ、５８Ｚ、８１Ｚ、８６Ｚ、９１Ｚ    ：ミシン目
５２、５７、８２      ：表示部
５２Ｂ、５７Ｂ    ：表示テーパ部
５３、８３、９３      ：巻付部
５４、５９、８４、９４      ：貫通部
５４Ａ、８４Ａ、５４１Ａ、５４２Ａ、８４１Ａ、８４２Ａ  ：孔
５４Ｂ、５９Ｂ、９４Ｂ    ：貫通テーパ部
６０、６０Ａ、６０Ｂ、６０Ｃ、６０Ｄ、６０Ｅ、６０Ｆ    ：ラベル媒体
９４Ａ、９４Ｃ、９４１Ａ、９４１Ｃ、９４２Ａ、９４２Ｃ、  ：切れ目
５１１    ：基材
５１２    ：台紙
５２１、５７１、８２１    ：第１表示部
５２２、５７２、８２２    ：第２表示部
５２１Ｂ、５７１Ｂ、８２１Ｂ  ：第１表示テーパ部
５２２Ｂ、５７２Ｂ、８２２Ｂ  ：第２表示テーパ部
５３１、８３１、９３１    ：第１巻付部
５３２、８３２、９３２    ：第２巻付部
５４１、５９１、８４１、９４１    ：第１貫通部
５４２、５９２、８４２、９４２    ：第２貫通部
５４１Ｂ、５９１Ｂ、９４１Ｂ  ：第１貫通テーパ部
５４２Ｂ、５９２Ｂ、９４２Ｂ  ：第２貫通テーパ部
５５１、８５１    ：第１ライン
５５２、８５２、９５２    ：第２ライン
６００    ：ロール
５５０、８５０、８５３、９５０    ：仮想ライン
【図１】
2019012214.tif 000003
【図２】
2019012214.tif 000004
【図３】
2019012214.tif 000005
【図４】
2019012214.tif 000006
【図５】
2019012214.tif 000007
【図６】
2019012214.tif 000008
【図７】
2019012214.tif 000009
【図８】
2019012214.tif 000010
【図９】
2019012214.tif 000011
【図１０】
2019012214.tif 000012
【図１１】
2019012214.tif 000013
【図１２】
2019012214.tif 000014